(57)【要約】【課題】コストの上昇を招くことなく、ポリゴンモーターの風切り音に起因する騒音を低減可能な光走査装置を提供する。【解決手段】本発明の光走査装置６は、光源から出射される光ビームを偏向する回転可能なポリゴンミラー２４と、ポリゴンミラー２４を収容する筐体２０と、ポリゴンミラー２４と筐体２０の間に設けられる内カバー２５と、を備え、内カバー２５には、ポリゴンミラー２４の少なくとも一部を覆うと共に、ポリゴンミラー２４から離間する側に向かってドーム状に湾出する防音部５１が設けられていることを特徴とする。【選択図】図５
2014085427.tif 000002
【特許請求の範囲】
【請求項１】
光源から出射される光ビームを偏向する回転可能なポリゴンミラーと、
該ポリゴンミラーを収容する筐体と、
前記ポリゴンミラーと前記筐体の間に設けられる内カバーと、を備え、
該内カバーには、前記ポリゴンミラーの少なくとも一部を覆うと共に、該ポリゴンミラーから離間する側に向かってドーム状に湾出する防音部が設けられていることを特徴とする光走査装置。
【請求項２】
前記筐体は、
一面側が開口された筐体本体と、
該筐体本体の前記一面側を覆う蓋体と、を備え、
前記内カバーは、前記筐体本体と一体に形成されていることを特徴とする請求項１に記載の光走査装置。
【請求項３】
前記筐体は、
一面側が開口された筐体本体と、
該筐体本体の前記一面側を覆う蓋体と、を備え、
前記内カバーは、前記蓋体と一体に形成されていることを特徴とする請求項１に記載の光走査装置。
【請求項４】
前記ポリゴンミラーを回転させるポリゴンモーターを更に備え、
該ポリゴンモーターは、前記筐体とは別体に形成される放熱部材に固定されていることを特徴とする請求項１〜３のいずれか１項に記載の光走査装置。
【請求項５】
前記防音部は、前記ポリゴンミラーの上方を覆うように設けられ、
前記内カバーは、前記防音部の一端部から下方に向かって延びて前記ポリゴンミラーの側方を覆う延出部を備えていることを特徴とする請求項１〜４のいずれか１項に記載の光走査装置。
【請求項６】
前記防音部は、前記ポリゴンミラーの上方を覆うように設けられ、
前記防音部の頂部は、前記ポリゴンミラーの回転中心の直上に位置していることを特徴とする請求項１〜５のいずれか１項に記載の光走査装置。
【請求項７】
請求項１〜６のいずれか１項に記載の光走査装置を備えていることを特徴とする画像形成装置。
【発明の詳細な説明】
【技術分野】
【０００１】
本発明は、光源から出射される光ビームをポリゴンミラーを用いて偏向する光走査装置及びこれを備えた画像形成装置に関する。
【背景技術】
【０００２】
従来、複写機やプリンター等の電子写真方式の画像形成装置では、光走査装置によって感光体の表面に静電潜像を形成し、この静電潜像をトナーによって現像することでトナー画像を形成している。また、上記した光走査装置は、例えば、光源から出射される光ビームを偏向するポリゴンミラーと、このポリゴンミラーを回転させるポリゴンモーターと、ポリゴンミラー及びポリゴンモーターを収容する筐体と、を備えている。
【０００３】
このような構成の光走査装置において、今日の画像形成装置の高速化に対応するには、光源の数を増やすのが最も安易な方法であるが、この場合、光源の数の増加に伴ってコストが上昇してしまう。そこで、このようなコストの上昇を招くことなく画像形成装置の高速化に対応するためには、ポリゴンミラーの回転速度を高速化するのが一般的である。しかしながら、このようにポリゴンミラーの回転速度を高速化すると、これに伴ってポリゴンミラーの風切り音が大きくなり、この風切り音に起因する騒音（高周波ノイズ）が増大する。
【０００４】
そこで、このような騒音を低減するために、特許文献１に記載の従来技術では、上下方向に開口部が設けられた気流案内部材をポリゴンミラーの上方に配置している。また、特許文献２に記載の従来技術では、回転数の異なる複数種類のポリゴンモーター（「モータＨ１、Ｈ２」参照）を筐体（「光学箱１」参照）に取り付け可能にすると共に、ポリゴンモーターに取り付けられた弾性体によって、筐体に設けられた開口部を選択的に塞いでいる。
【先行技術文献】
【特許文献】
【０００５】
【特許文献１】特開２００７−０７８９９９号公報
【特許文献２】特開２００５−２０２１１７号公報
【発明の概要】
【発明が解決しようとする課題】
【０００６】
しかしながら、特許文献１に記載された構成では、その図１に示されるように、気流案内部材の上端部に屈曲部が存在しており、ポリゴンミラーの回転によって発生した気流が上記の屈曲部に当たると、ポリゴンミラーの風切り音が増大する虞がある。また、気流案内部材に設けられた開口部を介してポリゴンミラーの風切り音が洩れてしまうため、騒音レベルそのものを低下させることは困難である。また、特許文献２に記載された構成では、ポリゴンモーターが複数種類必要となるため、コストが上昇する。
【０００７】
そこで、本発明は上記事情を考慮し、コストの上昇を招くことなく、ポリゴンモーターの風切り音に起因する騒音を低減可能な光走査装置を提供することを目的とする。
【課題を解決するための手段】
【０００８】
本発明は、光源から出射される光ビームを偏向する回転可能なポリゴンミラーと、該ポリゴンミラーを収容する筐体と、前記ポリゴンミラーと前記筐体の間に設けられる内カバーと、を備え、該内カバーには、前記ポリゴンミラーの少なくとも一部を覆うと共に、該ポリゴンミラーから離間する側に向かってドーム状に湾出する防音部が設けられていることを特徴とする。
【０００９】
このような構成を採用することで、ポリゴンミラーの回転に伴う風切り音を抑制することが可能となり、ポリゴンミラーの回転速度を高速化した場合でも、風切り音に起因する騒音が発生しにくくなる。そのため、１種類のポリゴンミラーの回転速度を変化させて様々な印刷速度に対応することが可能となり、印刷速度に応じた複数種類のポリゴンミラーを使い分けるような場合と比較して、コストを削減することができる。
【００１０】
前記筐体は、一面側が開口された筐体本体と、該筐体本体の前記一面側を覆う蓋体と、を備え、前記内カバーは、前記筐体本体と一体に形成されていても良い。
【００１１】
このような構成を採用することで、内カバーによって筐体本体の断面係数を上昇させ、筐体本体の強度を高めることができる。これに伴って、筐体本体の熱変形を防止することが可能となる。
【００１２】
前記筐体は、一面側が開口された筐体本体と、該筐体本体の前記一面側を覆う蓋体と、を備え、前記内カバーは、前記蓋体と一体に形成されていても良い。
【００１３】
このような構成を採用することで、内カバーによって蓋体の断面係数を上昇させ、蓋体の強度を高めることができる。これに伴って、蓋体の熱変形を防止することが可能となる。
【００１４】
前記ポリゴンミラーを回転させるポリゴンモーターを更に備え、該ポリゴンモーターは、前記筐体とは別体に形成される放熱部材に固定されていても良い。
【００１５】
このような構成を採用することで、ポリゴンモーターの放熱性能を高めて、ポリゴンモーターの発熱に伴う筐体の熱変形を防止することが可能となる。
【００１６】
前記防音部は、前記ポリゴンミラーの上方を覆うように設けられ、前記内カバーは、前記防音部の一端部から下方に向かって延びて前記ポリゴンミラーの側方を覆う延出部を備えていても良い。
【００１７】
このような構成を採用することで、内カバーによってポリゴンミラーの上方だけでなく側方も覆うことができる。そのため、ポリゴンミラーの風切り音が発生しても、この風切り音が外部に漏れるのを効果的に防止することが可能となり、騒音レベルの低下に繋がる。
【００１８】
前記防音部は、前記ポリゴンミラーの上方を覆うように設けられ、前記防音部の頂部は、前記ポリゴンミラーの回転中心の直上に位置していても良い。
【００１９】
このような構成を採用することで、ポリゴンミラーの風切り音を抑制する効果を高めることが可能となり、風切り音に起因する騒音がより一層発生しにくくなる。
【００２０】
本発明の画像形成装置は、上記したいずれかの光走査装置を備えていることを特徴とする。
【発明の効果】
【００２１】
本発明によれば、コストの上昇を招くことなく、ポリゴンモーターの風切り音に起因する騒音を低減可能な光走査装置を提供することが可能となる。
【図面の簡単な説明】
【００２２】
【図１】本発明の一実施形態に係る複写機の概略を示す模式図である。
【図２】本発明の一実施形態に係る複写機の光走査装置を示す平面図である。
【図３】図２のＡ−Ａ断面図である。
【図４】本発明の一実施形態に係る複写機の光走査装置において、光ビームの光路を示す平面図である。
【図５】本発明の一実施形態に係る複写機の光走査装置において、ポリゴンモーター及びその周辺を示す斜視断面図である。
【図６】本発明の一実施形態に係る複写機の光走査装置において、第１ｆθレンズ及びその周辺を示す斜視図である。
【発明を実施するための形態】
【００２３】
まず、図１を用いて、画像形成装置としてのモノクロ複写機１（以下、単に「複写機１」と称する。）の全体の構成について説明する。図１は、本発明の一実施形態に係る複写機の概略を示す模式図である。
【００２４】
複写機１は、箱型形状の複写機本体２を備えており、複写機本体２の下部には用紙（図１のＳ参照）を収納する給紙カセット３が設けられ、複写機本体２の上部には排紙トレイ４が設けられている。排紙トレイ４の更に上方には、画像読取装置５が設けられている。
【００２５】
複写機本体２の中央部には、レーザー・スキャニング・ユニット（ＬＳＵ）で構成される光走査装置６が配置され、光走査装置６の一側（図面上は左側）には、画像形成部７が設けられている。画像形成部７には、像担持体である感光体ドラム８が回転可能に設けられており、感光体ドラム８の周囲には、帯電器９と、現像器１０と、転写ローラー１１と、クリーニング装置１２とが、感光体ドラム８の回転方向（図１の矢印ａ参照）に沿って配置されている。
【００２６】
複写機本体２の一側部（図面上は左側部）には、下方から上方に向かって用紙の搬送経路１３が設けられている。つまり、本実施形態の複写機１は、いわゆる縦搬送である。搬送経路１３の上流端には給紙ローラー１４が設けられ、搬送経路１３の中流部には、感光体ドラム８と転写ローラー１１によって構成される転写部１５が設けられ、搬送経路１３の下流部には定着装置１６が設けられている。搬送経路１３の下流端部には、排紙ローラー１７が設けられている。
【００２７】
次に、このような構成を備えた複写機１の画像形成動作について説明する。
【００２８】
画像形成動作が開始されると、帯電器９によって感光体ドラム８の表面が帯電される。一方で、画像読取装置５によって原稿画像が読み取られ、この原稿画像に関する電気信号が画像読取装置５から光走査装置６に送信される。光走査装置６は、上記の電気信号に基づいて、光ビーム（図１の矢印ｂ参照）によって感光体ドラム８の表面を走査する。これにより、感光体ドラム８の表面に静電潜像が形成される。この静電潜像を、現像器１０がトナー（現像剤）を用いて現像する。
【００２９】
一方、給紙ローラー１４によって給紙カセット３から取り出された用紙は、上記した画像形成動作とタイミングを合わせて転写部１５へと搬送され、転写部１５において感光体ドラム８上のトナー像が用紙に転写される。トナー像を転写された用紙は、搬送経路１３を下流側へと搬送されて定着装置１６に進入し、この定着装置１６において用紙にトナー像が定着される。トナー像が定着された用紙は、搬送経路１３の下流端から排紙ローラー１７によって排紙トレイ４に排出される。なお、感光体ドラム８上に残留したトナーは、クリーニング装置１２によって回収される。
【００３０】
次に、図２〜図６を用いて、光走査装置６について説明する。以下、説明の便宜上、図２における下側を光走査装置６の前側（正面側）とする。図２、図４〜図６に付される矢印Ｆｒは、光走査装置６の前側（正面側）を示している。また、図４の矢印Ｘは、主走査方向を示している。
【００３１】
図２に示されるように、光走査装置６は、その外形を成す筐体２０と、筐体２０の前端部の左側に固定される光源２１と、光源２１の略後方に設けられる第１光学系２２と、第１光学系２２の略後方に設けられるポリゴンモーター２３と、ポリゴンモーター２３に取り付けられるポリゴンミラー２４と、ポリゴンモーター２３及びポリゴンミラー２４を覆うように設けられる内カバー２５と、内カバー２５の右方に設けられる第２光学系２６と、を備えている。以下、これらについて順番に説明する。
【００３２】
まず、筺体２０について説明する。筐体２０は、その全体が樹脂製であり、平面視で略矩形状を成している。筐体２０は、上面側が開口された筐体本体２７と、筐体本体２７の上面側を覆う蓋体２８と、を備えている。なお、図２においては、筐体２０の内部を分かりやすく表示するために、蓋体２８の左後部のみが表示されており、蓋体２８のその他の部分については切り欠き表示されている。
【００３３】
図３に示されるように、筐体本体２７は、底板部３０と、底板部３０の外周から上方に向かって突出する外枠部３１と、によって構成されている。底板部３０の前後方向中央の左端部には、モーター用開口部３２が設けられている。外枠部３１の右側部３１Ｒ（底板部３０の右側を覆う部分）には、連通穴３３が左右方向に設けられている。外枠部３１の右側部３１Ｒには、連通穴３３を外側（右側）から覆うようにして、防塵ガラス３４が固定されている。
【００３４】
蓋体２８は、筐体本体２７の底板部３０と対応する形状の上板部３５と、上板部３５の外周から下方に向かって突出するカバー枠部３６と、によって構成されている。カバー枠部３６には差し込み溝３７が設けられており、この差し込み溝３７に筐体本体２７の外枠部３１の上端部が差し込まれることで、筐体本体２７と蓋体２８が一体化されている。
【００３５】
次に、光源２１について説明する。図２に示されるように、光源２１は、筐体本体２７の外枠部３１の前端部３１Ｆに固定されている。光源２１は、例えば、レーザーダイオードによって構成されている。光源２１は、略後方（正確には、後方に向かって僅かに左方に傾斜する方向）に向かって光ビームを出射するように構成されている。
【００３６】
次に、第１光学系２２について説明する。第１光学系２２は、筐体２０の左前部に収容されている。図４に示されるように、第１光学系２２は、光ビームの光路（図４の一点鎖線参照）に沿って略前後方向に一列に並設されている。第１光学系２２は、光源２１の略後方に設けられるコリメーターレンズ３８と、コリメーターレンズ３８の略後方に設けられる第１アパーチャー４０と、第１アパーチャー４０の略後方に設けられるシリンドリカルレンズ４１と、シリンドリカルレンズ４１の略後方且つポリゴンモーター２３及びポリゴンミラー２４の略前方に配置される第２アパーチャー４２と、によって構成されている。
【００３７】
次に、ポリゴンモーター２３について説明する。図３に示されるように、ポリゴンモーター２３は、筐体２０の略前後方向中央の左端部に収容されており、筐体本体２７の底板部３０に設けられたモーター用開口部３２に挿入されている。ポリゴンモーター２３は、モーター本体４３と、モーター本体４３の上端に設けられるモーター軸４４と、モーター本体４３の下端に固定されるモーター基板４５と、を備えている。
【００３８】
モーター本体４３は、モーター駆動部（図示せず）に接続されており、このモーター駆動部からモーター本体４３に駆動電流が流れることで、モーター軸４４が回転するように構成されている。
【００３９】
モーター基板４５は、平板状を成している。モーター基板４５は、放熱部材としてのヒートシンク４６の上面側に固定されている。ヒートシンク４６は、例えば、アルミニウムのような熱伝導率の高い金属によって構成されており、平板状を成している。ヒートシンク４６は、筐体２０とは別体に形成されており、筐体本体２７の底板部３０よりも下方に位置している。ヒートシンク４６の下面には、左右に間隔をおいて、複数のフィン４７が設けられている。
【００４０】
次に、ポリゴンミラー２４について説明する。ポリゴンミラー２４は、ポリゴンモーター２３と共に筺体２０の略前後方向中央の左端部に収容されている。ポリゴンミラー２４は、バネ部材５０によって下方に抑え付けられている。図４に示されるように、ポリゴンミラー２４は、平面視で、正五角形状を成している。ポリゴンミラー２４には、多角形の数に対応する数（本実施形態では５個）の反射面４８が形成されている。
【００４１】
ポリゴンミラー２４は、ポリゴンモーター２３のモーター軸４４に固定されており、モーター軸４４の回転に伴って、所定方向（本実施形態では平面視で反時計方向。図４の矢印Ｒ参照）に回転するように構成されている。ポリゴンミラー２４の回転速度は、低速域（例えば、２００００ｒｐｍ〜３００００ｒｐｍ）から高速域（例えば、４００００ｒｐｍ〜５００００ｒｐｍ）まで、変化させることができるようになっている。
【００４２】
次に、内カバー２５について説明する。図５、図６に示されるように、内カバー２５は、ポリゴンミラー２４と筐体２０の間に設けられており、筐体本体２７と一体に形成されている。内カバー２５は、ポリゴンミラー２４の上方を覆うように設けられる防音部５１と、防音部５１の前後両側に設けられる平板部５２と、防音部５１及び各平板部５２の左端部から下方に向かって延びる延出部５３と、防音部５１及び各平板部５２の右端部から下方に向かって突出する突部５４と、を備えている。
【００４３】
防音部５１は、ポリゴンミラー２４から離間する側（本実施形態では上側）に向かってドーム状に湾出している。防音部５１は、全体が湾曲しており、上端部に平板状の部分を有していない。図５に示されるように、防音部５１の頂部Ｔは、ポリゴンミラー２４の回転中心線Ｃ上に位置している。つまり、防音部５１の頂部Ａは、ポリゴンミラー２４の回転中心の直上に位置している。防音部５１は、穴や開口部を有していない。
【００４４】
図６に示されるように、前側の平板部５２の右端部は、筐体本体２７の底板部３０から上方に向かって突設された第１支持部５５に接続されている。第１支持部５５の左方には、第１開口部５６が設けられている。第１開口部５６は、ポリゴンモーター２３及びポリゴンミラー２４の前方に位置している。後側の平板部５２の右端部は、筐体本体２７の底板部３０から上方に向かって突設された第２支持部５７に接続されている。第１支持部５５と第２支持部５７の間には、第２開口部５８が設けられている。第２開口部５８は、ポリゴンモーター２３及びポリゴンミラー２４の右方に位置している。なお、ポリゴンモーター２３及びポリゴンミラー２４が収容されている空間は、第１開口部５６及び第２開口部５８を除いて密閉されている。
【００４５】
図５に示されるように、延出部５３は略垂直に設けられており、ポリゴンミラー２４の左方（側方）を覆っている。延出部５３は、前後方向に延びる連結板６０によって筐体本体２７の外枠部３１の左側部３１Ｌに接続されている。
【００４６】
次に、第２光学系２６について説明する。図４に示されるように、第２光学系２６は、ポリゴンモーター２３及びポリゴンミラー２４の右方に設けられる第１ｆθレンズ（結像レンズ）６１と、第１ｆθレンズ６１の右方に設けられる第２ｆθレンズ（結像レンズ）６２と、第２ｆθレンズ６２の左前方に設けられる非球面ミラー６４と、非球面ミラー６４の略後方に設けられる集光レンズ６５と、集光レンズ６５の略後方に設けられるＢＤセンサー６６と、によって構成されている。
【００４７】
以上のように構成されたものにおいて、光源２１から出射された光ビームは、コリメーターレンズ３８によって平行光に変換され、第１アパーチャー４０によって主走査方向又は副走査方向のいずれか一方にのみ径を制限される。第１アパーチャー４０を通過した光ビームは、シリンドリカルレンズ４１によってポリゴンミラー２４の反射面４８上に結像される。その際に、シリンドリカルレンズ４１を通過した光ビームは、第２アパーチャー４２によって主走査方向又は副走査方向のいずれか他方（第１アパーチャー４０が光ビームの径を制限する方向とは垂直な方向）にのみ径が制限される。
【００４８】
以上のようにして第１光学系２２を通過してポリゴンミラー２４の反射面４８上に結像された光ビームは、回転するポリゴンミラー２４によって偏向される。このようにポリゴンミラー２４によって偏向された光ビームは、第２光学系２６の第１ｆθレンズ６１及び第２ｆθレンズ６２によって等速度で集光され、防塵ガラス３４を通過して、感光体ドラム８の表面（被結像面）に結像される。これにより、感光体ドラム８上に静電潜像が形成される。
【００４９】
なお、ポリゴンミラー２４によって偏向された光ビームのうち、有効走査領域（感光体ドラム８の表面に静電潜像を形成可能な領域）外に向かう光ビームの一部は、非球面ミラー６４によって反射され、集光レンズ６５を通過して、ＢＤセンサー６６に到達する。これにより、ＢＤセンサー６６が有効走査領域の走査開始位置を検知する。
【００５０】
ところで、上記のような光走査装置６において、例えば高速印刷を行うためにポリゴンミラー２４の回転速度を高速化すると、これに伴って、ポリゴンミラー２４の風切り音が大きくなり、この風切り音に起因する騒音（高周波ノイズ）が増大する虞が有る。
【００５１】
しかしながら、本実施形態では、ポリゴンミラー２４の上方を覆うと共に上側に向かってドーム状に湾出する防音部５１が内カバー２５に設けられているため、ポリゴンミラー２４の回転に伴う風切り音を抑制することが可能となり、ポリゴンミラー２４の回転速度を高速化した場合でも、風切り音に起因する騒音が発生しにくくなる。そのため、１種類のポリゴンミラー２４の回転速度を変化させて様々な印刷速度に対応することが可能となり、印刷速度に応じた複数種類のポリゴンミラー２４を使い分けるような場合と比較して、コストを削減することができる。
【００５２】
また、上記のようにポリゴンミラー２４を高速回転させると、これに伴ってポリゴンモーター２３の発熱量が大きくなり、ポリゴンモーター２３を収容する筐体２０（特に、筐体本体２７）が熱変形してしまう虞が有る。しかしながら、本実施形態では、内カバー２５が筐体本体２７と一体に形成されているため、内カバー２５によって筐体本体２７の断面係数を上昇させ、筐体本体２７の強度を高めることができる。これに伴って、筐体本体２７の熱変形を防止することができ、筐体本体２７の熱変形に伴って光学系素子（例えば、第１光学系２２やポリゴンミラー２４や第２光学系２６）の位置が変化して光学特性が崩れてしまうのを防止することができる。
【００５３】
また、筐体２０とは別体に形成されるヒートシンク４６にポリゴンモーター２３が固定されているため、ポリゴンモーター２３の放熱性能を高めて、ポリゴンモーター２３の発熱に伴う筐体２０の熱変形を防止することが可能となる。
【００５４】
また、内カバー２５には、防音部５１と共に延出部５３が設けられているため、内カバー２５によってポリゴンミラー２４の上方だけでなく側方も覆うことができる。そのため、ポリゴンミラー２４の風切り音が発生しても、この風切り音が外部に漏れるのを効果的に防止することが可能となり、騒音レベルの低下に繋がる。本実施形態では特に、第１開口部５６及び第２開口部５８以外が密閉された空間内にポリゴンモーター２３及びポリゴンミラー２４が配置されているため、騒音レベルをより一層低下させることができる。
【００５５】
また、防音部５１の頂部Ｔがポリゴンミラー２４の回転中心の直上に位置しているため、ポリゴンミラー２４の風切り音を抑制する効果を高めることが可能となり、風切り音に起因する騒音がより一層発生しにくくなる。
【００５６】
本実施形態では、内カバー２５を筐体本体２７と一体形成する場合について説明したが、他の異なる実施形態では、内カバー２５を筺体２０の蓋体２８と一体に形成しても良い。この場合には、内カバー２５によって蓋体２８の断面係数を上昇させ、蓋体２８の強度を高めることができる。これに伴って、蓋体２８の熱変形を防止することが可能となる。
【００５７】
本実施形態では、防音部５１によってポリゴンミラー２４の上方を覆う場合について説明したが、他の異なる実施形態では、防音部５１によってポリゴンミラー２４の斜め下方等を覆っても良い。つまり、防音部５１によってポリゴンミラー２４を覆う方向は、光走査装置６の設置角度等に応じて任意に変更することができる。
【００５８】
本実施形態では、ポリゴンミラー２４を正五角形とする場合について説明したが、他の異なる実施形態では、例えば、正六角形、正八角形等、他の異なる正多角形にポリゴンミラー２４を形成しても良い。
【００５９】
本実施形態では、複写機１に本発明の構成を適用する場合について説明したが、他の異なる実施形態では、プリンター、ファックス、複合機等、他の異なる画像形成装置に本発明の構成を適用しても良い。また、本実施形態では、モノクロ機を例に説明したが、他の異なる実施形態では、カラー機に本発明の構成を適用しても良い。
【符号の説明】
【００６０】
１  複写機（画像形成装置）
６  光走査装置
２０  筐体
２１  光源
２３  ポリゴンモーター
２４  ポリゴンミラー
２５  内カバー
２７  筐体本体
２８  蓋体
４６  ヒートシンク（放熱部材）
５１  防音部
５３  延出部
Ｔ  頂部
Ｃ  回転中心
【図１】
2014085427.tif 000003
【図２】
2014085427.tif 000004
【図３】
2014085427.tif 000005
【図４】
2014085427.tif 000006
【図５】
2014085427.tif 000007
【図６】
2014085427.tif 000008